(57)【要約】【課題】少々上がった平面だけでなく、他にも曲面があり、動作がもっと変化に富むステップ運動をすることができる上、他の運動、例えば背中や腹部、腿などに対するストレッチ体操をして筋力を鍛え得るトレーニング器具を提供する。【解決手段】台座で弾性体を下から保持してなるトレーニング器具であって、前記弾性体は、一水平面を基準面とする上面，周面及び下面を有する本体部とスカート部とからなり、前記上面は前記基準面の上方にあって前記基準面とほぼ平行しており、前記下面はほぼ前記基準面上に広がって前記上面の下方に存在しており、前記周面は前記上面の周縁と前記下面の周縁との間に延在して略アーク状の凸面を呈しており、そして、前記スカート部は前記周面と前記下面との境界線近くから下に突出して前記台座の周りを囲んでいることを特徴とするトレーニング器具を提供する。【選択図】　図２
0003099502.tif 000002
【実用新案登録請求の範囲】
【請求項１】
弾性体であって、一水平面を基準面とする上面，周面及び下面を有し、前記上面は前記基準面の上方にあって前記基準面とほぼ平行しており、前記下面はほぼ前記基準面上に広がって前記上面の下方に存在しており、前記周面は前記上面の周縁と前記下面の周縁との間に延在して略アーク状の凸面を呈していることを特徴とするトレーニング器具。
【請求項２】
台座で弾性体を下から保持してなるトレーニング器具であって、
前記弾性体は、一水平面を基準面とする上面，周面及び下面を有する本体部とスカート部とからなり、前記上面は前記基準面の上方にあって前記基準面とほぼ平行しており、前記下面はほぼ前記基準面上に広がって前記上面の下方に存在しており、前記周面は前記上面の周縁と前記下面の周縁との間に延在して略アーク状の凸面を呈しており、そして、前記スカート部は前記周面と前記下面との境界線近くから下に突出して前記台座の周りを囲んでいることを特徴とするトレーニング器具。
【請求項３】
前記弾性体の本体部は、膨張式薄膜体からなり、その構成は、前記上面の方が前記周面の方より強く、前記下面の方が前記上面の方より強いことを特徴とする請求項２に記載のトレーニング器具。
【請求項４】
前記本体部の上面には、前記上面の周縁に沿って延在している環状の強化リブが少なくとも一つ形成してあることを特徴とする請求項３に記載のトレーニング器具。
【請求項５】
前記本体部の下面には、複数の強化リブが散在していることを特徴とする請求項３に記載のトレーニング器具。
【請求項６】
前記台座は、前記スカート部の内壁面沿いに延在している周枠と、前記周枠内の空間を複数の小空間に区切るように配置されている複数のリブ材からなって前記周枠を内から保持強化している内枠を備えてなり、
また、前記本体部の下面に、下へ突出して前記内枠内の小空間内に嵌入する突起が形成してあることを特徴とする請求項３に記載のトレーニング器具。
【請求項７】
前記台座の上面は、ほぼ前記基準面に広がって前記弾性体の下面を下から密接的に支持していることを特徴とする請求項３に記載のトレーニング器具。
【請求項８】
前記本体部の下面は前記基準面から少々上へ窪んで凹面に、前記台座の上面は少々上へ膨らんで凸面になったことを特徴とする請求項７に記載のトレーニング器具。
【請求項９】
前記台座の上面は少々下へ窪んで凹面になり、その中央部あたりが前記本体部の下面の中央部と少々隙間を空けており、前記弾性体が上から下への圧力を受けると、前記本体部の下面が膨らんで凸面になり、前記台座の前記窪んでなった凹面と密接することができることを特徴とする請求項３に記載のトレーニング器具。
【請求項１０】
前記台座の上面には滑止め用の凹凸模様が形成してあることを特徴とする請求項８または９に記載のトレーニング器具。
【請求項１１】
前記本体部の上面及び周面には複数の突起が形成されていることを特徴とする請求項３に記載のトレーニング器具。
【請求項１２】
前記弾性体のスカート部と前記台座の周枠とはビスで互いに固定されており、
前記台座の周枠下面には、それらを介して載置面と当接する複数の滑止めパッドと、それらの鉤部が周枠外に突出している複数の略Ｌ字形鉤とが設置されており、
また、複数の略Ｌ字形鉤の鉤部には、それぞれ弾性紐が引っかけられていることを特徴とする請求項６に記載のトレーニング器具。
【考案の詳細な説明】
【０００１】
【考案の属する技術分野】
本考案は、トレーニング器具に関し、特に筋力の増強またはバランス能力の向上をすることができるトレーニング器具に関する。
【０００２】
【従来の技術】
図１に示されているのは、現在よく見かけられる硬質ステップ台式のトレーニング器具１である。図示のように、使用者は体操をしながら足踏みをしている内に、このステップ台式のトレーニング器具１を利用して上がったり下がったりし、ステップ運動をすることにより、筋肉を鍛えることができる。しかしながら、該硬質ステップ台式のトレーニング器具１によって筋肉が鍛えられるが、体操の仕種を除き、台の少々上がった平面に対し登ったり下りたりするというトレーニング器具自体によるステップ運動が単調過ぎるため、変化に乏しくてつまらない気がしやすいばかりか、筋肉を鍛える効果には限りがある。
【０００３】
【考案が解決しようとする課題】
上記に鑑みて、本考案の目的は、少々上がった平面だけでなく、他にも曲面があり、動作がもっと変化に富むステップ運動をすることができる上、他の運動、例えば背中や腹部、腿などに対するストレッチ体操をして筋力を鍛えることができるトテーニング器具を提供しようとすることにある。
【０００４】
【課題を解決するための手段】
前記目的を達成するために、考案者は、まず、弾性体であって、一水平面を基準面とする上面，周面及び下面を有し、前記上面は前記基準面の上方にあって前記基準面とほぼ平行しており、前記下面はほぼ前記基準面上に広がって前記上面の下方に存在しており、前記周面は前記上面の周縁と前記下面の周縁との間に延在して略アーク状の凸面を呈しているトレーニング器具を提供する。そして、前記トレーニング器具、特に、前記弾性体が膨張式薄膜体などの変形しやすいものからなる場合の安定化を図るために、更に、前記弾性体であるトレーニング器具を下から保持する台座を付け加えて他の実施形態を提供する。即ち、考案者は、また、台座で弾性体を下から保持してなるトレーニング器具であって、前記弾性体は、一水平面を基準面とする上面，周面及び下面を有する本体部とスカート部とからなり、前記上面は前記基準面の上方にあって前記基準面とほぼ平行しており、前記下面はほぼ前記基準面上に広がって前記上面の下方に存在しており、前記周面は前記上面の周縁と前記下面の周縁との間に延在して略アーク状の凸面を呈しており、そして、前記スカート部は前記周面と前記下面との境界線近くから下に突出して前記台座の周りを囲んでいるトレーニング器具を提供する。
【０００５】
【考案の実施の形態】
以下、本考案の好ましい実施形態を詳しく説明する。なお、以下の説明においては、そのサイズに拘わらず、略同一の機能及び構成を有する構成要素については、同一符号を付し、重複説明は必要な場合にのみ行う。
【０００６】
図２から図５までに示すのは、本考案の、弾性体が膨張式薄膜体などの変形しやすいものからなり、且つ、台座を付け加えた第１の実施形態例である。該実施形態例のトレーニング器具は、台座２０で弾性体１０を下から保持してなる。前記弾性体１０は、一水平面を基準面１００とする上面１２１，周面１２２及び下面１１を有する本体部１２とスカート部１３とからなり、前記上面１２１は前記基準面１００の上方にあって前記基準面１００とほぼ平行しており、前記下面１１はほぼ前記基準面１００上に広がって前記上面１２１の下方に存在しており、前記周面１２２は前記上面１２１の周縁と前記下面１１の周縁との間に延在して略アーク状の凸面を呈しており、そして、前記スカート部１３は前記周面１２２と前記下面１１との境界線近くから下に突出して前記台座２０の周りを囲んでいる。前記弾性体１０の本体部１２は、膨張式薄膜体からなり、前記上面１２１の方が前記周面１２２の方より強く、前記下面１１の方が前記上面１２１の方より強いように構成されている。即ち、前記本体部１２の上面には、前記上面１２１の周縁に沿って延在している環状の強化リブ１２１１が少なくとも一つ（この例では一つだけあるが、内から外へと螺旋状のように４回り位延出している）形成してあり、前記下面１１には、複数の強化リブ１１１が散在している。また、前記本体部１２の上面１２１及び周面１２２には複数の突起１２３が形成されていて、使用者がストレッチ体操をしている時に按摩の作用で働くことができる。前記強化リブ１２１１は、図示のように、螺旋状の一体的なものを呈しているが、高さが前記突起１２３より大である強化突起に代えて螺旋状に並べていてもよい。
【０００７】
また、前記台座２０の上面は、ほぼ前記基準面１００に広がって前記弾性体１０の下面１１を下から密接的に支持している。この実施形態においては、前記台座２０は周枠２１と内枠２２とを備えている。前記周枠２１は前記スカート部１３の内壁面沿いに延在しており、前記内枠２２は前記周枠２１内の空間を複数の小空間に区切るように配置されている複数のリブ材からなって前記周枠２１を内から保持強化している。また、前記本体部１２の下面１１に、下へ突出する複数の突起１４が形成してあり、該複数の突起１４がそれぞれ前記内枠２２内の小空間内に嵌入している。
【０００８】
次に、図６及び図７を参照しながら第２の実施形態例を説明する。この第２の実施形態例の構成は前記第１の実施形態例とほぼ同じであり、異なるところは弾性体１０における本体部１２の下面１１と台座２０の上面２５との間の構造関係にある。即ち、前記本体部１２の下面１１は前記基準面１００から少々上へ窪んで凹面に、前記台座２０の上面２５はほぼ平面になり、ただ少々上へ膨らんで凸面になり、前記下面１１を下から全面的に支持している。
【０００９】
次に図８を参照しながら第３の実施形態例を説明する。この第３の実施形態例の構成は前記第２の実施形態例とほぼ同じであり、異なるところは、前記本体部１２の下面１１と前記台座２０の上面２５とも平面であり、前記台座２０の上面２５によって前記下面１１を下から全面的に支持している。
【００１０】
図示していないが、場合によっては、前記台座２０の上面２５は少々下へ窪んで凹面になり、その中央部あたりが前記本体部１２の下面１１の中央部と少々隙間を空けているものも良い例として挙げられる。この例の構成によると、前記弾性体１０が上から下への圧力を受けると、前記本体部１２の下面が膨らんで凸面になり、前記台座２０の前記窪んでなった凹面と密接することができる。
【００１１】
また、図７に示すように、前記弾性体１０が前記台座２０上に滑らないように、前記各実施形態の前記台座２０の上面２５には滑止め用の凹凸模様２５１が形成してある。
【００１２】
なお、図２に示すように、前記各実施形態の前記弾性体１０のスカート部１３と前記台座２０の周枠２１とはビス３０で互いに固定されており、前記台座２０の周枠２１下面には、それらを介して載置面と当接する複数の滑止めパッド２４と、それらの鉤部が周枠２１外に突出している複数の略Ｌ字形鉤２３とが設置されており、また、複数の略Ｌ字形鉤２３の鉤部には、それぞれ腕力訓練用の弾性紐４０が引っかけられている。
【００１３】
上記構成による本考案のトレーニング器具は、前記弾性体における本体部の上面を利用し、従来のステップ運動（図１０参照）をすることができるのみならず、本体部の曲面を利用し、動作がもっと変化に富むステップ運動（図９参照）をすることもできる。その上、前記上面と周面とからなる変化に富んだ面を利用して他の運動、例えば背中や腹部、腿などに対するストレッチ体操をして（図１１、１２参照）筋力を鍛えることもできる。また、図１３〜１６に示すように、弾性紐を利用して腕力ないし腿力を訓練することもできる。
【００１４】
以上説明した実施の形態は、あくまでも本考案の技術的内容を明らかにする意図のものにおいてなされたものであり、本考案はそうした具体例に限定して狭義に解釈されるものではなく、本考案の精神とクレームに述べられた範囲で、いろいろと変更して実施できるものである。
【００１５】
【考案の効果】
この構造によるトレーニング器具は、少々上がった平面だけでなく、他にも曲面があり、動作がもっと変化に富むステップ運動をすることができる上、他の運動、例えば背中や腹部、腿などに対するストレッチ体操をして筋力を鍛えることもでき、そして、この弾性体であるトレーニング器具には更にそれを下から保持する台座を付け加えれば、前記弾性体として前記ストレッチ体操にもっと効果が良い膨張式薄膜体などの変形しやすいものを採用しても、変形による不安定を解消することができる。
【図面の簡単な説明】
【図１】図１は、従来の硬質ステップ台式のトレーニング器具の説明図である。
【図２】図２は、本考案のトレーニング器具の第１の実施形態の分解斜視図である。
【図３】図３は、前記第１の実施形態の組立後の斜視図である。
【図４】図４は、図３の下面図である。
【図５】図５は、図４のＡ−Ａ線の断面図である。
【図６】図６は、本考案のトレーニング器具の第２の実施形態の分解斜視図である。
【図７】図７は、前記第２の実施形態の断面図である。
【図８】図８は、本考案のトレーニング器具の第３の実施形態の断面図である。
【図９】図９は、本考案のトレーニング器具を利用して運動をする時の説明図である。
【図１０】図１０は、本考案のトレーニング器具を利用して運動をする時の説明図である。
【図１１】図１１は、本考案のトレーニング器具を利用して運動をする時の説明図である。
【図１２】図１２は、本考案のトレーニング器具を利用して運動をする時の説明図である。
【図１３】図１３は、本考案のトレーニング器具を利用して運動をする時の説明図である。
【図１４】図１４は、本考案のトレーニング器具を利用して運動をする時の説明図である。
【図１５】図１５は、本考案のトレーニング器具を利用して運動をする時の説明図である。
【図１６】図１６は、本考案のトレーニング器具を利用して運動をする時の説明図である。
【符号の説明】
１　硬質ステップ台式のトレーニング器具；１０　弾性体；１１　下面；１１１　強化リブ；１２　本体部；１２１　上面；１２２　周面；１２３　突起；１２４　強化リブ；１３　スカート部；１４　突起；２０　台座；２１　周枠；２２　内枠；２３　略Ｌ字形鉤；２４　滑止めパッド；２５　上面；２５１　滑止め用の凹凸模様；３０　ビス；４０　弾性紐；１００　基準面
【図１】
0003099502.tif 000003
【図２】
0003099502.tif 000004
【図３】
0003099502.tif 000005
【図４】
0003099502.tif 000006
【図５】
0003099502.tif 000007
【図６】
0003099502.tif 000008
【図７】
0003099502.tif 000009
【図８】
0003099502.tif 000010
【図９】
0003099502.tif 000011
【図１０】
0003099502.tif 000012
【図１１】
0003099502.tif 000013
【図１２】
0003099502.tif 000014
【図１３】
0003099502.tif 000015
【図１４】
0003099502.tif 000016
【図１５】
0003099502.tif 000017
【図１６】
0003099502.tif 000018